(57)【特許請求の範囲】
【請求項１】
基部セグメントと、基部端及び末梢部端を有する末梢部セグメント（１６）と、基部端及び末梢部端を有する骨幹端セグメントとから成り、
該基部セグメントは大腿骨頭部構成要素と揺動的に係合可能な首部と、更に首部の末梢部に延びる雄型テーパ部分を含み、
該末梢部セグメントは基部端及び末梢部端を有し、該末梢部セグメントはその該基部端に隣接する雄型テーパ部分を含み、
該骨幹端セグメントは基部端及び末梢部端を有し、該骨幹端セグメントは骨に係合する外表面と、更にアキシャル方向の貫通孔を含み、該アキシャル方向孔は第１及び第２雌型テーパ部分を含み、該第１雌型テーパ部分は該骨幹端セグメントの該基部端に隣接して位置しかつ該基部セグメントの該雄型テーパ部分に揺動的に係合するような寸法に形成されており、該第２雌型テーパ部分は、該骨幹端セグメントの該末梢部端に隣接して位置しかつ該末梢部セグメントの該雄型テーパ部分に揺動的に係合するような寸法に形成されており、
該末梢部セグメントの該雄型テーパ部分及び該骨幹端セグメントの該第２雌型テーパ部分がそれぞれ放物線区間に移行する円錐状テーパ区間から成り、
該基部セグメントの該雄型テーパ部分及び該骨幹端セグメントの該第１雌型テーパ部分が、放物線区間に移行する円錐テーパ区間から成り、
その際、（ａ）前記末梢部セグメントの前記雄型テーパ部分と、前記骨幹端部の第２の雌型テーパ部分とが、各々放物線状区間への移行する円錐テーパ状区分から成ること及び（ｂ）前記基部セグメントの前記雄型テーパ部分と、前記骨幹端の第１の雄型テーパ状部分とは、放物線区間に移行する円錐状テーパ区間から成ることを特徴とする前記モジュールヒップ補綴。
【請求項２】
該基部セグメントは、更にアキシャル方向の貫通孔を含み、該基部は基部及び骨幹端セグメントを通して形成された該アキシャル方向の孔に整列させるために該骨幹端セグメントの該基部端と係合可能であり、該末梢部セグメントは更にその該基部端に隣接するアキシャル方向のねじ孔を含み、該末梢部セグメントの該基部端は該末梢部及び骨幹端セグメントを通して形成された該アキシャル方向の孔を整列させるために該骨幹端セグメントの該末梢部端と係合可能であり、該モジュールヒップ補綴は更に該基部、骨幹端及び末梢部セグメントの該整列された孔を通ってかつ該末梢部セグメントのアキシャル方向のねじ孔とねじ係合するように通過するような寸法に形成されたねじから成る、請求項１に記載のモジュールヒップ補綴。
【請求項３】
該末梢部セグメントが骨に係合する外表面部分を含む、請求項１に記載のモジュールヒップ補綴。
【請求項４】
該末梢部セグメントの該骨係合表面が、そのインクリメンタル長さに沿って形成された縦溝から成る、請求項３に記載のモジュールヒップ補綴。
【請求項５】
該末梢部セグメントが更にそのインクリメンタル長さに沿う冠状スロットから成る、請求項１に記載のモジュールヒップ補綴。
【請求項６】
該末梢部セグメントの該骨に係合する表面が、グリットブラストを施された表面、焼結された金属ビードコーティング、ハイドロオキシルアペタイトコーティング、プラズマスプレーコーティング、バイオガラスセラミックコーティング、鉱物質を除去された骨及びキャリア及び成長ファクタ及びキャリアから成るグループから選択されている、請求項３に記載のモジュールヒップ補綴。
【請求項７】
該末梢部セグメントが円形の横断面を有する、請求項１に記載のモジュールヒップ補綴。
【請求項８】
該末梢部セグメントの末梢部端が、放物線のアキシャル方向断面を有する、請求項１に記載のモジュールヒップ補綴。
【請求項９】
該末梢部セグメントがチタン金属合金、コバルトクロム合金及びステンレススチールから成るグループから選択された材料から構成されている、請求項１に記載のモジュールヒップ補綴。
【請求項１０】
前記末梢部セグメント（１６）の前記雄型テーパ状部分と前記骨幹端セグメントの第２雌型テーパ状部分とによって総合された円錐状テーパ長さに対する放物線状テーパ部分の長さの比が、５％〜３０％の範囲である、請求項１に記載のモジュールヒップ補綴。
【請求項１１】
該末梢部セグメントの該円錐テーパ区間と該骨幹端セグメントの該第２雌型テーパ部分のテーパ角度が略１°〜略２．５°の範囲である、請求項１０に記載のモジュールヒップ補綴。
【請求項１２】
該基部セグメントの該雄型テーパ部分が、該首部の末梢部に延びるエクステンション部材上に形成されている、請求項１に記載のモジュールヒップ補綴。
【請求項１３】
該エクステンション部材がそこから末梢部に延びるニップル部材を含む、請求項１２に記載のモジュールヒップ補綴。
【請求項１４】
前記基部セグメントの前記雄型テーパ状部分と前記骨幹端セグメントの第１雌型テーパ状部分とによって総合された円錐状テーパ長さに対する放物線状テーパ部分の長さの比が、５％〜３０％の範囲である、請求項１に記載のモジュールヒップ補綴。
【請求項１５】
該基部セグメントの該円錐テーパ部分と該骨幹端セグメントの該第１雌型テーパ部分のテーパ角度が、略１°〜略２．５°である、請求項１４に記載のモジュールヒップ補綴。
【請求項１６】
該基部セグメントがチタン金属合金、コバルトクロム合金及びステンレススチールから成るグループから選択された材料から構成されている、請求項１に記載のモジュールヒップ補綴。
【請求項１７】
該骨幹端セグメントの骨係合表面が、グリットブラスト仕上げされた表面、焼結された金属ビードコーティング、ハイドロオキシルアペタイトコーティング、プラズマスプレーコーティング、バイオガラスセラミックコーティング、鉱物質を除去された骨及びキャリア、及び成長ファクタ及びキャリアから成るグループから選択されている、請求項１に記載のモジュールヒップ補綴。
【請求項１８】
該骨幹端セグメントが、チタン金属合金、コバルトクロム合金、及びステンレススチールから成るグループから選択された材料から構成されている、請求項１に記載のモジュールヒップ補綴。
【請求項１９】
該骨幹端セグメントが、円錐部分と一体化された台形状截頭ピラミッド部分を有する、請求項１に記載のモジュールヒップ補綴。
【請求項２０】
該骨幹端セグメントが、円形の横断面とは異なり台形状横断面を有する、請求項１９に記載のモジュールヒップ補綴。
【請求項２１】
該骨幹端セグメントが円錐部分の少なくとも一部分のまわりに形成された末梢部リング（３７）を含む、請求項１９に記載のモジュールヒップ補綴。
【請求項２２】
基部セグメントと、基部端と末梢部端とを有する末梢部セグメント（１６）と、基部端と末梢部端とを有する骨幹端セグメントとから成るモジュールヒップ補綴であって、
該基部セグメントは大腿骨頭部構成要素と揺動的に係合可能な首部を含み、更に外首部の末梢部に延びる雄形テーパ部分を有し、
該末梢部セグメントは、その該基部端に隣接する雄形テーパ部分及び骨係合外側表面部分を有し、そして
該骨幹端セグメントは更にアキシャル方向の貫通孔を含み、該アキシャル方向孔は第１及び第２雌形テーパ部分を有し、該第１雌形テーパ部分は該骨幹端セグメントの該基部端に隣接して位置しておりかつ該基部セグメントの該雄形テーパ部分に揺動的に係合するような寸法に形成されており、該第２雌形テーパ部分は該骨幹端セグメントの該末梢部端に隣接して位置しかつ該末梢部セグメントの該雄形テーパ部分に揺動的に係合するような寸法にされており、
該末梢部セグメントの該雄型テーパ部分及び該骨幹端セグメントの該第２雌型テーパ部分が、各々放物線区間に移行する円錐テーパ部分から成り、
該基部セグメントの該雄型テーパ部分及び該骨幹端セグメントの該第１雌型テーパ部分が、各々放物線部分に移行する円錐テーパ部分から成り、
その際、（ａ）前記末梢部セグメントの前記雄型テーパ部分と、前記骨幹端部の第２の雌型テーパ部分とが、各々放物線状区間への移行する円錐テーパ状区分から成ること及び（ｂ）前記基部セグメントの前記雄型テーパ部分と、前記骨幹端の第１の雄型テーパ状部分とは、放物線区間に移行する円錐状テーパ区間から成ることを特徴とする前記モジュールヒップ補綴。
【請求項２３】
該基部セグメントが更にアキシャル方向の貫通孔を含み、該基部セグメントは該基部及び骨幹端セグメントを通って形成された該アキシャル方向の孔に整列させるために該骨幹端セグメントの該基部端と係合可能であり、該末梢部セグメントは更にその基部端に隣接したアキシャル方向のねじ孔を含み、該末梢部セグメントの該基部端は該末梢部及び骨幹端セグメントを通って形成された該アキシャル方向の孔に整列させるために該骨幹端セグメントの該末梢部端と係合可能であり、該モジュールヒップ補綴は更に、該基部、骨幹端及び末梢部セグメントの該整列された孔を通りかつ該末梢部セグメントの該ねじ孔とねじ係合するような寸法に形成されたねじから成る、請求項２２に記載のモジュールヒップ補綴。
【請求項２４】
前記基部セグメントの前記雄型テーパ状部分と前記骨幹端セグメントの第１雌型テーパ状部分とによって総合された円錐状テーパ長さに対する放物線状テーパ部分の長さの比が、５％〜３０％の範囲である、請求項２２に記載のモジュールヒップ補綴。
【請求項２５】
該基部セグメントの円錐テーパ部分と該骨幹端セグメントの第第１雌型テーパ部分のテーパ角度が、略１°〜略２．５°である、請求項２４に記載のモジュールヒップ補綴。
【請求項２６】
該基部セグメントが、チタン金属合金、コバルトクロム合金、及びステンレススチールから成るグループから選択された材料から構成されている、請求項２２に記載のモジュールヒップ補綴。
【請求項２７】
該基部セグメントの該雄型テーパ部分が、該首部の末梢部に延びるエクステンション部材上に形成されている、請求項２２に記載のモジュールヒップ補綴。
【請求項２８】
該エクステンション部材がその末梢部に延びるニップル部材を含む、請求項２７に記載のモジュールヒップ補綴。
【請求項２９】
該末梢部セグメントが円形の横断面を有する、請求項２２に記載のモジュールヒップ補綴。
【請求項３０】
前記末梢部セグメント（１６）の前記雄型テーパ状部分と前記骨幹端セグメントの第２雌型テーパ状部分とによって総合された円錐状テーパ長さに対する放物線状テーパ部分の長さの比が、５％〜３０％の範囲である、請求項２２に記載のモジュールヒップ補綴。
【請求項３１】
該末梢部セグメントの該円錐部分と該骨幹端セグメントの該第２雌型テーパ部分のテーパ角度が、略１°〜略２．５°である、請求項３０に記載のモジュールヒップ補綴。
【請求項３２】
該末梢部セグメントの該骨係合表面が、そのインクリメンタル長さに沿って形成された縦溝から成る、請求項２２に記載のモジュールヒップ補綴。
【請求項３３】
該末梢部セグメントがそのインクリメンタル長さに沿う冠状スロットから成る、請求項２２に記載のモジュールヒップ補綴。
【請求項３４】
該末梢部セグメントの該骨係合表面が、グリットブラスト仕上げされた表面、焼結された金属ビードコーティング、ハイドロオキシルアペタイトコーティング、プラズマスプレーコーティング、バイオガラスセラミックコーティング、鉱物質を除去された骨及びキャリア、及び成長ファクタ及びキャリアから成るグループから選択されている、請求項２２に記載のモジュールヒップ補綴。
【請求項３５】
該末梢部セグメントが、チタン金属合金、コバルトクロム合金、及びステンレススチールから成るグループから選択された材料から構成されている、請求項２２に記載のモジュールヒップ補綴。
【請求項３６】
該骨幹端セグメントが、グリットブラストを施された表面、焼結された金属ビードコーティング、ハイドロオキシルアペタイトコーティング、プラズマスプレーコーティング、バイオガラスセラミックコーティング、鉱物質を除去された骨及びキャリア、及び成長ファクタ及びキャリアから成るグループから選択された骨係合外側表面を含む、請求項２２に記載のモジュールヒップ補綴。
【請求項３７】
該骨幹端セグメントが円錐部分と一体化された台形状截頭ピラミッド部分を有する、請求項２２に記載のモジュールヒップ補綴。
【請求項３８】
該骨幹端セグメントが円形横断面とは異なり台形状横断面を有する、請求項３７に記載のモジュールヒップ補綴。
【請求項３９】
該骨幹端セグメントが、円錐の少なくとも一部分のまわりに形成された末梢部リング（３７）を含む、請求項３７に記載のモジュールヒップ補綴。
【請求項４０】
該骨幹端セグメントが、チタン金属合金、コバルトクロム合金、及びステンレススチールから成るグループから選択された材料から構成されている、請求項２２に記載のモジュールヒップ補綴。
【請求項４１】
アキシャル方向の貫通孔を有する基部セグメントと、基部端及び末梢部端とを有する末梢部セグメント（１６）と、基部端及び末梢部端とを有する骨幹端セグメントとから成るモジュールヒップ補綴であって、
該基部セグメントは、大腿骨頭部構成要素と揺動的に係合可能な首部及び更に該首部の末梢部に延びる雄形テーパ部分とを含み、
該末梢部セグメントはその該基部端に隣接するアキシャル方向のねじ孔を形成されており、該末梢部は更にその該基部端に隣接する雄形テーパ部分を形成されており、
骨幹端セグメントは基部端及び末梢部端を有し、該骨幹端セグメントは骨係合外側表面部分を含み、該骨幹端セグメントは更にアキシャル方向の貫通孔を含み、該アキシャル方向の孔は第１及び第２の雌形テーパ部分を含み、該第１雌形テーパ部分は該骨幹端セグメントの該基部端に隣接して位置しかつ該基部セグメントの該雄形テーパ部分に揺動的に係合するような寸法にされており、該第２雌形テーパ部分は該骨幹端セグメントの該末梢部端に隣接して位置しかつ該末梢部セグメントの該雄形テーパ部分に揺動的に係合するような寸法にされており、そして該基部セグメントは該基部及び骨幹端セグメントの該アキシャル方向の孔を整列させるために該骨幹端セグメントの該基部端と係合可能であり、該末梢部セグメントの該基部端は末梢部及び骨幹端セグメントを通って形成された該アキシャル方向の孔を整列させるために該骨幹端セグメントの該末梢部端と係合可能であり、そして該モジュールヒップ補綴は更に基部、骨幹端及び末梢部セグメントの該整列された孔を通りかつ該末梢部セグメントの該アキシャル方向のねじ孔とねじ係合するような寸法に形成されたねじから成り、
該末梢部セグメントの該雄型テーパ部分及び該骨幹端セグメントの該第２雌型テーパ部分が、各々放物線区間に移行する円錐状テーパ部分から成り、
該基部セグメントの該雄型テーパ部分及び該骨幹端セグメントの該第１雌型テーパ部分が、各々放物線区間に移行する円錐テーパ部分から成り、
その際、（ａ）前記末梢部セグメントの前記雄型テーパ部分と、前記骨幹端部の第２の雌型テーパ部分とが、各々放物線状区間への移行する円錐テーパ状区分から成ること及び（ｂ）前記基部セグメントの前記雄型テーパ部分と、前記骨幹端の第１の雄型テーパ状部分とは、放物線区間に移行する円錐状テーパ区間から成ることを特徴とする前記モジュールヒップ補綴。
【請求項４２】
前記基部セグメントの前記雄型テーパ状部分と前記骨幹端セグメントの第１雌型テーパ状部分とによって総合された円錐状テーパ長さに対する放物線状テーパ部分の長さの比が、５％〜３０％の範囲であることを特徴とする請求項４１に記載のモジュールヒップ補綴。
【請求項４３】
該基部セグメントの該円錐部分と該骨幹端セグメントの該第１雌型テーパ部分のテーパ角度が、略１°〜略２．５°である、請求項４２に記載のモジュールヒップ補綴。
【請求項４４】
該基部セグメントが、チタン金属合金、コバルトクロム合金、及びステンレススチールから成るグループから選択された材料から構成されている、請求項４１に記載のモジュールヒップ補綴。
【請求項４５】
該基部セグメント自体及び該基部セグメントの該雄型テーパ部分が該首部の末梢部に延びるエクステンション部材上に形成されている、請求項４１に記載のモジュールヒップ補綴。
【請求項４６】
該エクステンション部材が、その末梢部に延びるニップル部材を含む、請求４１に記載のモジュールヒップ補綴。
【請求項４７】
該末梢部セグメントが更にそのインクリメンタル長さに沿う縦溝を含む、請求項４１に記載のモジュールヒップ補綴。
【請求項４８】
該末梢部セグメントが、更にそのインクリメンタル長さに沿って形成された冠状スロットを含む、請求項４１に記載のモジュールヒップ補綴。
【請求項４９】
前記末梢部セグメント（１６）の前記雄型テーパ状部分と前記骨幹端セグメントの第２雌型テーパ状部分とによって総合された円錐状テーパ長さに対する放物線状テーパ部分の長さの比が、５％〜３０％の範囲である、請求項４１に記載のモジュールヒップ補綴。
【請求項５０】
該末梢部セグメントの該円錐状テーパ部分及び該骨幹端セグメントの該第２雌型テーパ部分のテーパ角度が、略１°〜略２．５°である、請求項４９に記載のモジュールヒップ補綴。
【請求項５１】
チタン金属合金、コバルトクロム合金、及びステンレススチールから成るグループから選択された材料から構成されている、請求項４１に記載のモジュールヒップ補綴。
【請求項５２】
該末梢部セグメントが、グリットブラスト仕上げされた表面、焼結された金属ビードコーティング、ハイドロオキシルアペタイトコーティング、プラズマスプレーコーティング、バイオガラスセラミックコーティング、鉱物質を除去された骨及びキャリア、及び成長ファクタ及びキャリアから成るグループから選択された骨係合外側表面を含む、請求項４１に記載のモジュールヒップ補綴。
【請求項５３】
該骨幹端セグメントが、円錐部分と一体化される台形状截頭部分を有する、請求項４１に記載のモジュールヒップ補綴。
【請求項５４】
該骨幹端セグメントが円形横断面とは異なり台形横断面を有する、請求項５３に記載のモジュールヒップ補綴。
【請求項５５】
該骨幹端セグメントが該円錐部分の少なくとも１部分のまわりに形成された末梢部リング（３７）を含む、請求項５３に記載のモジュールヒップ補綴。
【請求項５６】
該骨幹端セグメントの該骨係合表面が、グリットブラストを施された表面、焼結された金属ビードコーティングハイドロオキシアパタイトコーティング、プラズマスプレーコーティング、バイオ−ガラスセラミョクコーティング、鉱物質を除去された骨及びキャリア及び成長フャクタ及びキャリアから成るグループから選択されている、請求項４１に記載のモジュールヒップ補綴。
【請求項５７】
該骨幹端セグメントが、チタン金属合金、コバルトクロム合金及びステンレススチールを構成するグループから選択された材料から構成されている、請求項４１に記載のモジュールヒップ補綴。
【発明の詳細な説明】
【０００１】
【発明の属する技術分野】
本発明は、一般的にトータルヒップ関節形成の分野、特には、構成部分の間のフルサイズ互換性を可能にし、しかし使用中の構成要素の係脱に対する特別の抵抗を提供する３セグメントモジュールヒップステムに関する。
【０００２】
【従来の技術】
トータルヒップ関節形成デザインにおけるモジューラリティ（ｍｏｄｕｌａｒｉｔｙ）は、臨床文献への増加する引用を受けている進展される概念である。このシステムの利点は、基部の変形及び骨損失の困難な状況に適用することの他には、基部及び末梢部管充填を慣用化するためのシエルフフレキシビリティ（ｓｈｅｌｆ  ｆｌｅｘｉｂｉｌｉｔｙ）を含む。しかしこれらのデザインは、応力及び構成要素間の係脱のために金属−金属接続における構造的な妥協を含む関係を提起する。
【０００３】
【課題を解決するための手段】
これらの関係を明確にするために、本発明は、要約すれば、次の（ａ）〜（ｃ）の構成要素から成るモジュールヒップ補綴を提供する、即ち
（ａ）アキシャル方向の貫通孔を有する基部セグメント；基部セグメントは大腿骨頭構成要素と揺動可能に係合可能な首部を有し、基部セグメントは更に該首部の末梢部に延びる雄型テーパー部分を有し、
（ｂ）基部端及び末梢部端を有する末梢部セグメント；末梢部セグメントはその基部端に隣接した雄型テーパ部分を形成されており、
（ｃ）基部端及び末梢部端を有する骨幹端セグメント；骨幹端セグメントは骨に係合する外表面部分を有し、更にアキシャル方向貫通孔を有し、アキシャル方向貫通孔は第１及び第２雌型テーパ部分を有し、第１雌型テーパ部分は骨幹端セグメントの基部端に隣接して位置しかつ基部セグメントの雄型テーパ部分に揺動可能に係合するような寸法に構成されており、第２雌型テーパセクションは骨幹端セグメントの末梢部端に隣接して位置しかつ末梢部セグメントの雄型テーパ部分に揺動可能に係合するような寸法に形成されている。
【０００４】
相応する基部、骨幹端及び末梢部セグメントの雄型及び雌型テーパ部分は、それぞれ一般的に放物線状区間へ移行する円錐区間から成る。各テーパ部分の移行される円錐状テーパ／放物線テーパ寸法は、充分なテーパ接触領域を保証し、そして雄型／雌型テーパ接合部の曲げ荷重の下での面間接触応力及び身体内部応力を減少させる。円錐テーパセクションは、各々テーパ接合部にかかる捩じり抵抗を提供するために略１°〜略２．５°の範囲のテーパ角度を有する。基部セグメントは基部及び骨幹端セグメントを介して形成されたアキシャル方向孔を整列させるために骨幹端セグメントの基部端と揺動可能に係合可能である。末梢部セグメントの基部端は末梢部及び骨幹端セグメントを介して形成されたアキシャル方向孔を整列させるために骨幹端セグメントの末梢部端と揺動可能に係合可能である。
【０００５】
選択的に基部セグメントは、貫通孔を形成されてけおり、そして末梢部セグメントは末梢部セグメントの基部端に隣接したねじ孔を形成されている。これらの孔は骨幹端セグメントのアキシャル方向孔と整列可能である。整列された孔を通るように寸法的に形成されたねじは、所望の場合に補綴構成要素の揺動係合を支配するために末梢部セグメントに形成されたねじ孔とねじ結合している。
【０００６】
本発明は次の（ａ）〜（ｈ）の利点を提供する。
（ａ）テーパ接合部の曲げ及び捩じり負荷のためのテーパ接触領域の増加及び接触応力の減少による構成要素の係脱に対する特別の抵抗
（ｂ）そのモジュラリティを通しての相互のフレキシビリティ
（ｃ）あるセグメントと他のいずれかのセグメントとの完全な互換性
（ｄ）他のセグメントとは無関係の前傾及後傾のための各セグメントの調整性、こうして左右のヒップアプリケーションのためのユニバーサルデザインを可能にすること
（ｅ）補綴の脚部長さとオフセット量の独立した選択
（ｆ）同一システムによる一次的適用及び回復適用
（ｇ）骨不足をそのままにして回復外科の面においても患者の手術に対して外科医が装置を合わせることを可能にすること
（ｈ）大腿骨頭部構成要素の全ての形態及び寸法の使用
【０００７】
明細書と協働しかつ明細書の一部を構成する図面は、本発明の詳細な説明及び優先的な実施例を示し、合わせて本発明の原理を説明する助けとなる詳細な記載と関連する。しかし、図面及び明細書は単に発明の説明でありかつ本発明を限定するものではないと理解すべきである。
【０００８】
【実施例】
図１〜８を参照すれば，同一の参照符号は種々の図を通して同一の構成要素を表すために使用され、本発明によるモジュールヒップ補綴の第１実施例は１０で示されている。図１に示すように、ヒップ補綴１０は一般的に（ａ）基部セグメント１２；（ｂ）骨幹端セグメント１４；及び（ｃ）末梢部セグメント１６を含む。ねじ部を有するねじ１８は、下記のようにセグメント１２、１４及び１６の揺動係合を行うために使用される。ここで実施されるように、基部セグメント１２、骨幹端セグメント１４及び末梢部セグメント１６は、各々別個の部品として構成されている。その結果セグメントは各々互いに無関係な寸法にされている。そのような無関係な寸法は、補綴にモジュール性を与え、即ち手術中遭遇する全ての解剖学的条件を実際に受け入れるような補綴形状の広範な選択を手術に提供する。有利に、本発明によるモジュール補綴１０は、周知の骨セメント移植技術を使用して移植されるか又は選択的に当業者に周知の骨係合表面適用を使用してセメントなしの形式で移植されてもよい。
【０００９】
図２によれば、基部セグメント１２は以下の（ａ）〜（ｃ）によって形成された首部２０を含み、即ち首部は、（ａ）雄型テーパ柱体２２で終わっている角度的にずらされたアーム２１；（ｂ）雄型テーパ部分２５によって形成されかつ円筒状ニップル２６で終わる首部２０の末梢部に延びるエクステンション部材２４；及び（ｃ）首部２０、エクステンション部材２４及びニップル２６を介して形成されたセグメント孔２７によって形成されている。好ましくは基部セグメント１２は生体に適合する、高強度のチタン合金から構成されている。しかし、基部セグメント１２はコバルトクロム合金、ステンレススチール及び複合材料のような他の生体適合材料から構成されている。基部セグメントの外側表面仕上げは、好ましくは表面の平均粗さ３２マイクロインチに又は側面測定法によって特定された値よりも小さい表面粗さに磨かれる。外側表面仕上げは、平滑艶消し又は当業者に周知の表面処理技術を使用して機械加工されてもよい。
【００１０】
基部セグメント１２のテーパ柱体２２は、大腿骨頭部構成要素（図示しない）の補完的雌型テーパ部分と揺動的に係合するための寸法に形成されている。当業者は、基部セグメント１２が大腿骨頭部構成要素の全ての形状及び材料に適合するように構成される。アンダカット２３はトータルヒップ関節代替システムの首部２０とアクセプタ構成要素（図示しない）との間の運動の領域を増大させるために、及びヒップ補綴１０の修繕又は改修中基部セグメント１２から大腿骨頭部を分解するために必要である場合に、大腿骨頭部除去工具（図示しない）の係合を容易にするために基部セグメント１２の各側のアーム２１及び柱体２２に形成されている。
【００１１】
好適に実施されたように、エクステンション部材２４のテーパ部分２５は、略２．５インチ（図２及び図８参照）の移行部の曲率Ｒ２を有する一般的に放物線型雄型テーパ部分２５ｂに移行する雄型円錐テーパ部分２５ａから成る。テーパ部分２５ｂの放物線寸法は、テーパ部分２５と骨幹端セグメント１４の補完的雌型テーパ部分３３との間の曲げ荷重の下での面間接触応力及び内部本体応力を減少させる。好適に実施されたように、円錐状テーパ部分２５ａは基部／骨幹端テーパ間接の捩じり抵抗を提供するために略１°〜略２．５°のテーパ角度を有する。図８に示す本発明の他の実施例において、円錐テーパ部分２５ａは、略０．４３インチの長さを有し、放物線テーパ部分２５ｂは略０．０９インチの長さを有する。図示されたこれらのテーパ長さのために円錐テーパ長さに対する放物線テーパ長さの比は、略２１％である。好適に実施されたように、放物線テーパ／円錐テーパ長さは略５％〜略３０％であるべきである。この範囲は充分なテーパ接触領域を保証し、補綴が曲げ応力をかけられる場合に基部／骨幹端テーパ接合部の高い点接触応力に繋がり得る放物線テーパ部分２５ｂ上の鋭利な隅部の存在を減少させる。好ましくは実施されたように、円錐状テーパ部分２５ａは、略０．０９インチの移行部の曲率Ｒ１を有する（図８）。雌型テーパセグメント３３の補完的円錐状テーパ部分３３ａは、略０．０５インチの移行部の曲率Ｒ３を有する。これらの相異なる曲率は、基部セグメント及び骨幹端セグメントがジョイントされる場合に生じるギャップＧ（図７）の近くにおける基部／骨幹端テーパ接合部における減少された応力条件を生成する。有利に、テーパ部分２５及び３３のための同一の寸法及び曲率は、基部セグメント１２及び骨幹端セグメント１４の全ての寸法に使用されることができ、それによって寸法交換性、及びこうして基部セグメントと骨幹端セグメントの間のモジュラリティが得られる。
【００１２】
好適に実施されたように、ニップル２６は、エクステンション部材２４（図２及び図８）の瞬間的なアームの増大のために略０．１８インチの長さを有し、そしてそれによって補綴における曲げ応力の導入について基部／骨幹端テーパ接合部を無負荷にするために役立つ。上記のテーパ寸法及び移行部の曲率によって、ニップル２６のための同一長さは基部セグメント１２の全ての寸法について使用される。ニップル２６は、骨幹端セグメント１４（以下に記載する）における貫通孔３２の部分３２ａ、３２ｂ及び３２ｃの直径よりも寸法的に小さく形成されており、その結果基部セグメント１２のエクステンション部材２４が補綴構成要素（図７及び下記）のアセンブリ上の貫通孔３２中にスライド可能に収容される場合、ニップル２６は当初は孔３２の側壁と接触しない。補綴の大腿骨頭部に対する充分な荷重の作用の下に、ニップル２６は孔３２の骨幹端孔セクション３２ｂの側壁と接触し、それによって基部／骨幹端テーパ接合部から導入された曲げ応力の一部を伝達する。
【００１３】
再び図２を参照すれば、基部セグメント１２のセグメント孔２７は第１直線区間２７ａ、台形中間区間２７ｂ及び第２直線区間２７ｃを含む。好適に実施されたように、区間２７ｂは略６０°の角度で孔区間２７ｃに向かって内方にテーパをつけられている。孔区間２７ａ、２７ｂ及び２７ｃは、基部セグメント１２中にねじ１８を通過させることができるような寸法に形成されている。孔区間２７ｃもまた、ねじ１８の頭部のためのさら孔として使用され、かつ、ねじ１８が補綴１０のアセンブリの一部として使用される場合に、末梢部セグメント１６（以下に詳しく述べる）に形成されたねじ孔４２にねじ１８を係合させるためにねじ回し又はドリルビットのような機械的なドライバを好適に収容するのに充分大きな寸法であるべきである。
【００１４】
図３によれば、骨幹端セグメント１４は基部端１４、末梢部端１４ｂを有しかつ円錐区間３１と一体化された台形状截頭ピラミッド区間３０を形成されている。図４に示すように、この輪郭はそれ自体一般的に円形横断面３５から偏した一般的に台形状区間３６としての横断面にある。選択的にピラミッド区間３０は、骨幹端セグメント１４が一般的に円形横断面から偏した一般的に矩形横断面を有するように構成されてもよい。骨幹端セグメント１４は好ましくは生体に適合する、高強度チタン合金から構成されているが、しかしコバルトクロム合金、ステンレススチール及び複合材料のような他の生体に適合する材料から構成されてもよい。
【００１５】
骨幹端セグメント１４は、基部孔区間３２ａ、骨幹端孔区間３２ｂ及び末梢部孔区間３２ｃから成る孔３２を含む。図３及び図８を参照すれば、孔区間３２ａは一般的に放物線状テーパ区間３３ｂに移行する円錐テーパ区間３３ａから成る雌型テーパ区間３３により形成されている。雌型テーパ区間３３ａ及び３３ｂは、それぞれ円筒区間２４の雄型テーパ区間２５ａ及び２５ｂに対して補完的である。ここで実施されたように、円錐テーパ区間３３ａは、略１°〜略２．５°のテーパ角度、略０．５０インチの長さ及び略０．０５インチの移行部の曲率Ｒ３（上記記載を参照）を有する。放物線テーパ区間３３ｂは、０．０９インチの長さ、略０．２５インチ（図８）の移行部の曲率を有する。前記図示のテーパ長さのために、円錐テーパ長さに対する放物線テーパ長さの比は略１８％である。テーパ区間３３ａ及び３３ｂは、それぞれ孔３２への円筒状区間２４の装入の下にテーパ区間２５ａ及び２５ｂに揺動的に係合するような寸法に形成されている。円筒状区間２４のテーパ区間２５ａ及び２５ｂによって、テーパ区間３３ａ及び３３ｂに対する放物線テーパ長さ／円錐テーパ長さの比は、基部／骨幹端セグメントテーパ接合部の領域における接触応力及び内部応力の減少を保証するために、略５％〜略３０％であるべきである。また、基部セグメント１２に関して上記に述べたように、テーパ区間３３ａ及び３３Ｂに対する同一テーパ寸法及び移行部の曲率は、基部及び骨幹端構成要素の互換性を保証するために骨幹端セグメント１４の全ての寸法のために使用されることができ、それによって補綴１０のモジュラリティ（ｍｏｄｕｌａｒｉｔｙ）が得られる。
【００１６】
図３及び図８を参照すれば、骨幹端孔３２の孔セグメント３２ｃは円錐状テーパ区間３４ａ及び一般的に放物線状テーパ区間３４ｂから成るテーパ部分３４によって形成されている。テーパ区間３４ａ及び３４ｂは、それぞれ骨幹端セグメント１４（以下に更に詳しく述べる）の孔３２中に末梢部セグメント１６の基部端１６ａの装入の下に、末梢部セグメント１６の相応する雄型テーパ区間４３ａ及び４３ｂを揺動的に係合するような寸法に形成されている。ここで実施されたように、円錐状テーパ区間３４ａは、０．５１インチの長さ、略１°〜略２．５°のテーパ角度及び０．５０インチの移行部の曲率Ｒ５を有する。放物線テーパ区間３４ｂは、略０．０９インチの長さと略０．２５インチの移行部の曲率R ６とを有する（図８）。前記図示のテーパ長さに関して、円錐状テーパ長さに対する放物線テーパ区間長さの比は略１８％である。上記の補綴１０の他のテーパ部分によって、放物線テーパ長さ／円錐状テーパ長さ比は、基部／骨幹端テーパ接合部における充分なテーパ接触領域を保証しかつ高い点接触応力を減少させるために略５％〜略３０％であるべきである。上記の他のテーパ部分によって、テーパ区間３４ａ及び３４ｂのための同一テーパ寸法及び移行部の曲率が構成要素の互換性を達成しかつそれによって補綴１０のモジュラリティを達成するために骨幹端セグメント１４の全ての寸法に使用されることができる。
【００１７】
骨幹端セグメント１４の寸法は、人体中に使用されている間中構成要素の捩じり安定性を増加しかつ基部骨髄管の良好な充填を提供する。骨幹端セグメント１４の外側面仕上げは、３２マイクロインチの表面平均粗さ又は側面測定法によって特定された粗さよりも小さい粗さに磨かれる。外側表面仕上げは、当業者に周知の表面処理技術を使用して円滑な艶消しにされ又は機械加工されることができる。好適に実施されたように、骨幹端セグメント１４の外側表面は、例えばグリットブラスト仕上げされた表面、焼結された金属ビードコーティング、ハイドロオキシルアペタイトコーティング、プラズマスプレーコーティング、バイオガラスセラミックコーティング、鉱物質を除去された骨及びキャリア、及び成長ファクタ及びキャリアのような骨係合表面コーティングを含む。金属移植表面に対するそのようなコーティングの適用は、当業者に周知である。選択的に骨幹端セグメント１４は末梢部リング３７によって構成されてもよい。末梢部リング３７は、骨幹端セグメントの外側表面に適用される骨係合コーティングの最少厚さに等しい厚さの隆起した材料領域である。末梢部リング３７は、骨幹端セグメント１４の円錐区間３１の壁厚さを増大させる。このことは換言すれば、局部的壁厚さを増大させかつ多孔質コーティングプロセスから生じるノッチから多孔質孔を閉塞することによって、円錐区間３１の疲労強度を増大させる。好適に実施されたように、末梢部リング３７は骨幹端セグメント１４のより小さい寸法で使用され、その際末梢部端１４ｂの近くの円錐区間３１の側壁は、比較的薄い。骨幹端セグメント１４の特別の寸法のための末梢部リング３７の使用を必要とする円錐状区間３１の側壁は、当業者によって容易に決定されることができる。
【００１８】
図５を参照すれば、末梢部セグメント１６は基部端１６ａ、末梢部端１６ｂによって形成され、かつその外側表面のインクリメンタル長さに沿って形成された複数の鋭利にされた縦溝４０を含む。溝４０の鋭利な縁は、人体中への補綴の使用中梢部セグメント１６の捩じり安定性を増大させるために骨髄管の皮質骨壁中に形成される。末梢部セグメント１６は、また選択的に末梢部端１６ｂで表面のスロット４１は末梢部セグメント１６のフレキシビリティを増大させる。この増大されたフレキシビリティは、補綴が負荷された場合に末梢部端１６ｂにおける応力集中を阻止しかつ補綴が骨髄管の曲線に良好に適用することを可能にする。当業者は、縦溝４０が補綴の捩じり負荷に容易に抗するために、補綴全体のデザインの意味で所望のように調整されることができると認識している。図示の末梢部セグメント１６の図示の実施例において、縦溝４０の長さは末梢部セグメント１６の全長の略８０％である。有利に、末梢部セグメント１６に対する溝長さの同一比が、末梢部セグメント１６の全ての寸法に使用されることができる。当業者はまた、表面のスロット４１の長さが末梢部セグメントの疲労強度に不適当に対抗することなしに末梢部セグメント１６におけるフレキシビリティの所望の度合を提供するように調整されることができる。
【００１９】
好適に実施されたように、末梢部端１６ｂは、一般的に放物線のアキシャル方向断面を有し、アキシャル方向断面は、末梢部セグメント１６と末梢部端の近くの骨との間の接触応力を減少させるために役立つ。図６に示すように、末梢部セグメント１６は、一般的に円形の横断面を有するが、しかし例えば六角形、又は楕円のような他の横断面寸法で構成されてもよい。選択的に末梢部セグメント１６はステムフレキシビリティの増加及び骨髄管への皮質骨の係合を容易にするために、鋭利な縦溝の代わりに縦深溝によって形成されけてもよい。図示の末梢部セグメント１６は直線の輪郭を有するが、患者の骨髄管の自然の曲線に良好にマッチするように湾曲されてもよい。末梢部セグメント１６は、好ましくは、生体に適合する、高強度のチタン合金から構成されることができるが、コバルトクロム合金、ステンレススチール及び複合材料のような他の生体に適合する材料から構成されてもよい。更に末梢部セグメント１６は、好ましくは３２マイクロインチの平均表面粗さ又は側面測定法によって特定された粗さよりも小さい表面粗さを有する磨かれた外側表面を備える。末梢部セグメントは、当業者に周知の表面処理技術を使用して円滑な艶消し又は機械加工された外側表面を備えてもよい。骨髄管の皮質骨壁に対する末梢部セグメント１６の固定を容易にするために、所望の場合、末梢部セグメント１６は縦溝なしに構成されかつ例えばグリットブラスト仕上げされた表面、焼結された金属ビードコーティング、ハイドロオキシルアペタイトコーティング、プラズマスプレーコーティング、バイオガラスセラミックコーティング、鉱物質を除去された骨及びキャリア、及び成長ファクタ及びキャリアのような多孔質骨係合表面コーティングを備えてもよい。
【００２０】
図５及びず８を参照すれば、末梢部セグメント１６はまた、その基部端１６ａに隣接するねじ孔４２を形成されている。孔４２は、基部セグメント１２、骨幹端セグメント１４及び末梢部セグメント１６の整列された孔を通して装入の下にねじ１８をねじ係合する寸法に形成されている。末梢部セグメント１６は、また基部端１６ａに隣接した雄形テーパ区間４３によって形成されている。テーパセグメント４３は円錐テーパ区間４３ａ及び一般的に放物線状テーパ区間４３ｂから成る。雄形テーパ区間４３ａ及び４３ｂは、それぞれ骨幹端セグメント１４の孔３２中への末梢部セグメント１６の基部端１６ａの装入の下に骨幹端セグメント１４の相応する雌形テーパ区間３４ａ及び３４ｂに揺動的に係合するような寸法に形成されている。ここで実施されたように、円錐状テーパ区間４３ａは略０．４８インチの長さ、略１°〜２．５°のテーパ角度及び略０．０９インチの移行部の曲率Ｒ７を有する。放物線テーパ状区間４３ｂは、略０．０９インチの長さ及び略０．２５インチの移行部の曲率Ｒ８を有する（図８）。前記図示のテーパ長さのために、円錐状テーパ長さに対する放物線テーパ長さの比は、略１９％である。骨幹端／末梢部テーパ接合部における充分なテーパ接触領域を保証しかつ高い点接触応力を減少させるために略５％〜略３０％であるべきである。また、上記の他のテーパ部分によって、テーパ区間４３ａ及び４３ｂに対する同一のテーパ寸法及び移行部の曲率は、末梢部及び骨幹端構成要素の互換性を達成するために及びそれによって補綴１０のモジュラリティを達成するために、末梢部セグメント１６の全ての寸法のために使用されることができる。
【００２１】
図７及び図８を参照すれば、基部セグメント１２、骨幹端セグメント１４及び末梢部セグメント１６の横断面図がアセンブリとしてのこれらの構成要素の間の内部関係をより明らかに図示するために示されている。図示のように、基部セグメント１２のエクステンション部材２４はそれぞれ孔セグメント３２ａのテーパ区間３３ａ及び３３ｂに揺動的に係合するエクステンション部材２４のテーパ区間２５ａ及び２５ｂによって骨幹端セグメント１４の孔区間３２ａ中にスライド可能に嵌合されて収容されている。同様に末梢部セグメント１６の基部端１６ａは、それぞれ孔セグメント３２ｃのテーパ区間３４ａ及び３４ｂに揺動的に係合する末梢部セグメント１６のテーパ区間４３ａ及び４３ｂによって骨幹端セグメント１４の孔セグメント３２ｃ中にスライド可能に嵌合して収容されている。テーパ揺動関係が基部セグメント１２と骨幹端セグメント１４との間に確立される前に、基部セグメント１２のアーム２１及び柱体２２の角度方位が従来の大腿頭部構成要素（図示しない）を収容するために所望の位置に柱体２２を置くことが確立される。基部セグメント、骨幹端セグメント及び末梢部セグメントの補完的テーパ部分の揺動的係合の下に、孔２７、３２及び４２はアキシャル方向に整列される。その上ねじ１８が孔４２の補完的ねじ区間とのねじ係合へと整列された孔を通して装入される。ねじ１８は骨幹端孔２７の区間２７ａ中に形成されたさら孔２８中に収容可能なさら頭部１９を有する。ねじ１８はもし所望の場合基部、骨幹端及び末梢部セグメントの揺動的係合を達成するため確実に締付けられる。
【００２２】
本発明は、本発明の精神又は本質的特徴から逸脱することなしに本発明の開示された詳細な記載とは異なる形の実施例を可能である。勿論本発明の所望の実施例は図示されたもの及びこれに制限されずに考慮されるべきである。本発明の保護範囲は、請求項に支持されており、かつ本発明の前記記載によって制限されるものではない。請求項に記載された目的物の意味及び均等の範囲内にある全てのバリエーションは請求項の範囲に包含されるべきである。
【図面の簡単な説明】
【図１】  図１は、本発明によるモジュールヒップ補綴の１つの実施例の分解された、斜視図である。
【図２】  図２は本発明による基部構成部分の１つの実施例の断面側面図である。
【図３】  図３は本発明による骨幹端構成要素の１つの実施例の断面側面図である。
【図４】  図４は、図３のＡ−Ａ線に沿う本発明による骨幹端構成要素の１つの実施例の横断面図である。
【図５】  図５は、本発明による末梢部の構成要素の１つの実施例の側面図である。
【図６】  図６は、図５のＢ−Ｂ線に沿う本発明による末梢部の構成要素の１つの実施例の横断面図である。
【図７】  図７は、本発明によるモジュールヒップ補綴の１つの実施例の係合した、基部、骨幹端、及び末梢部の構成要素の断面側面図である。
【図８】  図８は、テーパ及び混合した寸法を示す図７の基部、骨幹端及び末梢部の構成要素の断面側面図である。
【符号の説明】
１２    基部セグメント
１４    骨幹端セグメント
１６    末梢部セグメント
【図１】
0003834510.tif 000002
【図２】
0003834510.tif 000003
【図３】
0003834510.tif 000004
【図４】
0003834510.tif 000005
【図５】
0003834510.tif 000006
【図６】
0003834510.tif 000007
【図７】
0003834510.tif 000008
【図８】
0003834510.tif 000009